(57)【要約】【課題】空気調和機用熱交換器の熱交換器モジュールに対する管板の組付性を良好にすること。【解決手段】多数枚のフィン１２の端部に平行方向に設けられた第２の管板１４Ｂは、伝熱管１１のＵ字型に折り返されたリターン側のＵ字部の内側の面に係合する係止部１６を有する係合部１５を設けることで、熱交換器端部に後工程で第２の管板１４Ｂを係合する場合、各伝熱管１１ごとに対応して形成された係合部１６に沿わせて熱交換器モジュール１３を係合、係止して伝熱管１１に押し込むという作業によって容易に組立てが可能となり、組立て作業の効率化を図ることができる。【選択図】図２
2006177572.tif 000002
【特許請求の範囲】
【請求項１】
多数枚のフィンの両端部に前記フィンと平行方向に設けられる第１の管板、第２の管板を有し、前記第１の管板は前記フィンとを挿通する多数の伝熱管で一体化され、前記第２の管板は、前記伝熱管のもう一方がＵ字型に折り返されたリターン側のＵ字部の内側の面に係合する係止部を有する係合部を設けたことを特徴とする空気調和機用熱交換器。
【請求項２】
係合部は、隣り合う複数の伝熱管のリターン側のＵ字部の内側の面に係合する、弾性を有して形成されている係止部を有することを特徴とする請求項１記載の空気調和機用熱交換器。
【発明の詳細な説明】
【技術分野】
【０００１】
本発明は熱交換器モジュールの管板を有する空気調和機用熱交換器に関するものである。
【背景技術】
【０００２】
従来、この種の空気調和機用熱交換器は、伝熱管に対し、複数枚のフィンを重合してなる複数の熱交換器モジュールを両端側に管板を介して所定の間隔で並設一体化して成るもので、管板は、管板本体と、管板本体に設けられた各熱交換器モジュールのフィン端部を嵌合する複数列の嵌合溝と、嵌合溝内に形成された伝熱管端部嵌合穴とからなり、同構成における嵌合溝は、その両縁部がフィン端部を挾着する挾着弾性を有して形成されている（例えば、特許文献１参照）。
【０００３】
図７は、特許文献１に記載された従来の空気調和機用熱交換器の全体構造を示す下方から見た斜視図、図８は空気調和機用熱交換器の要部断面図を示すものである。図７、８に示すようにフィン１２、伝熱管１１、熱交換器モジュール１３、管板１４、勘合溝５、勘合穴６とから構成されている。
【特許文献１】特開平６−３０７７８６号公報
【発明の開示】
【発明が解決しようとする課題】
【０００４】
しかしながら、前記従来の構成では、管板１４が、本体と、本体に設けられた各熱交換器モジュール１３のフィン１２端部を嵌合する複数列の嵌合溝５と、嵌合溝５内に形成された伝熱管１１端部嵌合穴６とから構成されており、熱交換器モジュール１３の各列ごとに構成された熱交換器に対し、後工程で管板１４を嵌合装着する場合、管板１４に各列ごとに対応して形成された嵌合溝５に沿わせて熱交換器をスライドして伝熱管１１の穴位置まで移動させた後、下方に押し込み、フィン１２端部が嵌合溝５の両縁部での挾着する挾着弾性固定なので、押し込み方向の逆の抜き方向にたいしては容易にぬけるという課題を有していた。
【０００５】
本発明は、前記従来の課題を解決するもので、熱交換器への組付け性を容易に保ったまま、抜け方向に対する係止を可能とした空気調和機用熱交換器を提供することを目的とする。
【課題を解決するための手段】
【０００６】
前記従来の課題を解決するために、本発明の空気調和機用熱交換器は、多数枚のフィンの両端部にフィンと平行方向に設けられる２つの管板の内、Ｕ字型に折り返されたリターン側の管板にＵ字部の内側の面に係合する係止部を有する係合部を設けたものである。
【０００７】
これによって、熱交換器への組付け性を容易に保ったまま抜け方向に対する係止を可能とする。
【発明の効果】
【０００８】
本発明の空気調和機用熱交換器は、熱交換器への組付け性を容易に保ったまま抜け方向に対する係止を可能とするので、熱交換器を後工程で管板と一体に組合わせる際の作業性が大幅に向上するとともに、管板の抜け方向への固定も出来るため、熱交換器の単体での取り扱い時や、空気調和機本体へ固定した後での輸送上の振動、落下での外れに対する実用上の問題点が無く信頼性が向上する。
【発明を実施するための最良の形態】
【０００９】
第１の発明は多数枚のフィンの両端部にフィンと平行方向に設けられる２つの管板の内、Ｕ字型に折り返されたリターン側の管板にＵ字部の内側の面に係合する係止部を有する係合部を設けることにより、熱交換器への組付け性を容易に保ったまま抜け方向に対する係止が可能となり、熱交換器の組合せ作業性が大幅に向上し、取り扱い時や、輸送上の振動、落下での外れに対する実用上の問題点が無く信頼性を向上させることができる。
【００１０】
第２の発明は、特に、第１の発明の係合部を、隣り合う複数の伝熱管のリターン側のＵ字部の内側の面に係合する係止部を一体化して有し、更にその係止部は弾性を有するものとすることにより、組付け時の挿入性をよくすることが出来るようになる。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における空気調和機用熱交換器の全体構成図を示す左方から見た斜視図を示すものである。
【００１３】
図１において、熱交換器の全体的な構造を示し、符号１１は内側に冷媒が流される伝熱管、１２は伝熱管１１が挿通する複数枚所定の隙間を保って重合固着されたフィンであり、これら伝熱管１１およびフィン１２により２組の熱交換器モジュール１３ａ〜１３ｂが各々形成されている。熱交換器モジュール１３ａ〜１３ｂには、右端に位置して圧入固定された第１の管板１４Ａ、左端に位置して係合固定された第２の管板１４Ｂが取付られている。
【００１４】
図２（ａ）、（ｂ）、（ｃ）は、それぞれ本発明の第１の実施の形態における空気調和機用熱交換器の左側面図、ＡＡ断面における要部の拡大断面図、ＢＢ断面における要部の拡大断面図、図３は、本発明の第１の実施の形態における空気調和機用熱交換器の第２の管板の平面図、図４は本発明の第１の実施の形態における空気調和機用熱交換器の第２の管板のＣＣ断面図を示すものである。
【００１５】
図２、３、４において、第２の管板１４Ｂには、複数組の熱交換器モジュール１３ａ〜１３ｂの伝熱管１１の各々に対応して、そのＵ字型に折り返されたリターン側の各々の伝熱管１１を包囲するように筒型の複数の係合部(以下、単に係合部という)１５が形成されている。
【００１６】
この係合部１５は、それぞれ各Ｕ字型に折り返されたリターン側のＵ字部の面の内側の面に係合するための係止部１６を持ち、その係止部１６で、各伝熱管１１を係合、係止し、固定している。
【００１７】
以上のように構成された空気調和機用熱交換器について、以下その動作、作用を説明する。
【００１８】
まず、上述した伝熱管１１およびフィン１２よりなる複数組の熱交換器モジュール１３ａ〜１３ｂを後工程で第２の管板１４Ｂを使用して一体化するに際し、並設される熱交換器モジュール１３ａ〜１３ｂに対応して、それらの各列ごとに第２の管板１４Ｂに形成されている係合部１５に伝熱管１１のＵ字形状に沿わせてスライドさせ、左方側から押し込むだけで容易に図１の状態に組立てることができる。そのため、複数組の熱交換器モジュール１３ａ、１３ｂの第２の管板１４Ｂによる一体化、組付作業が極めて容易になり、組
立て作業の効率化を図ることができるようになる。
【００１９】
さらに、従来の空気調和機用熱交換器ではフィン１２端部が嵌合溝４の両縁部での挾着する挾着弾性固定なので、押し込み方向の逆の抜き方向に対しては容易に抜けるという課題があったが、本発明の空気調和機用熱交換器では伝熱管１１の各々に対応して、そのＵ字型に折り返されたリターン側のＵ字面の内側の面に係合且つ係止固定にすることによりそのような問題もなくなる。
【００２０】
以上のように、本実施の形態においてはＵ字型に折り返されたリターン側の管板に、Ｕ字部の内側の面に係合する係止部を有する係合部を設けることにより、熱交換器への組付け性を容易に保ったまま抜け方向に対する係止が可能となり、熱交換器の組合せ作業性が大幅に向上し、取り扱い時や、輸送上の振動、落下での外れに対する実用上の問題点が無く信頼性を向上させることができる。
【００２１】
（実施の形態２）
図５は、本発明の第２の実施の形態の空気調和機用熱交換器の第２の管板の平面図、図６は、本発明の第２の実施の形態の空気調和機用熱交換器の第２の管板のＤＤ断面における断面図を示すものである。
【００２２】
図５、６において、管板１４Ｂは、熱交換器モジュール１３ａ〜１３ｂの左端に位置して、Ｕ字型に折り返されたリターン側の隣り合う複数の伝熱管１１のＵ字部を一体化して包囲するように筒型の複数の係合部(以下、単に係合部という)１５を有している。各係合部１５は、それぞれ各Ｕ字型に折り返されたリターン側のＵ字部の面の内側の面に係合するための弾性を有する係止部１６を持ち、その係止部１６で、各伝熱管１１を係合、係止し、固定している。
【００２３】
以上のように構成された空気調和機用熱交換器は、組付け時の挿入性をよくすることが出来るようになり複数組の熱交換器モジュール１３ａ、１３ｂの第２の管板１４Ｂによる一体化、組付作業が極めて容易になり、組立て作業の効率化を図ることができるようになる。
【産業上の利用可能性】
【００２４】
以上のように、本発明にかかる空気調和機用熱交換器は、第２の管板の取り付けが後工程で可能となり抜け防止も可能となるので除湿機や冷蔵庫等の用途にも適用できる。
【図面の簡単な説明】
【００２５】
【図１】本発明の第１の実施の形態における空気調和機用熱交換器の全体構成図を示す左方から見た斜視図
【図２】本発明の第１の実施の形態における空気調和機用熱交換器の（ａ）は左側面図（ｂ）はＡＡ断面における要部の拡大断面図（ｃ）はＢＢ断面における要部の拡大断面図
【図３】本発明の第１の実施の形態における空気調和機用熱交換器の第２の管板の平面図
【図４】本発明の第１の実施の形態における空気調和機用熱交換器の第２の管板のＣＣ断面図
【図５】本発明の第２の実施の形態の空気調和機用熱交換器の第２の管板の平面図
【図６】本発明の第２の実施の形態の空気調和機用熱交換器の第２の管板のＤＤ断面における断面図
【図７】従来の空気調和機用熱交換器の全体構造を示す下方から見た斜視図
【図８】従来の空気調和機用熱交換器の要部断面図
【符号の説明】
【００２６】
５  勘合溝
６  勘合穴
１１  伝熱管
１２  フィン
１３  熱交換器モジュール
１３ａ  熱交換器モジュール
１３ｂ  熱交換器モジュール
１４  管板
１４Ａ  第１の管板
１４Ｂ  第２の管板
１５  係合部
１６  係止部
【図１】
2006177572.tif 000003
【図２】
2006177572.tif 000004
【図３】
2006177572.tif 000005
【図４】
2006177572.tif 000006
【図５】
2006177572.tif 000007
【図６】
2006177572.tif 000008
【図７】
2006177572.tif 000009
【図８】
2006177572.tif 000010